(57)【特許請求の範囲】
【請求項１】
被取付体の板部に取り付けられる取付具であって、
板体の少なくとも一辺部に、その一辺に平行に相互に分離して設けられ、前記被取付体の板部の一辺に形成された被挟着片を表裏面から弾性力で挟む複数本の帯部と、
前記板体の一辺部の前記帯部を除く部分に、板面に対して垂直方向に向けて突出するように設けられ、前記被取付体の板部に形成された被係合孔に係合する係合爪とを備えたことを特徴とする取付具。
【請求項２】
前記複数本の帯部のうち、一部の帯部は前記板体の表面側に膨れ、他の帯部は前記板体の裏面側に膨れている請求項１に記載の取付具。
【請求項３】
前記係合爪は、前記帯部の長手方向の両端側に分けて一対設けられ、かつこれら両係合爪と、前記被係合孔とは、係合させた状態で、所定の遊びを有する請求項１または請求項２に記載の取付具。
【請求項４】
請求項１から請求項３までのいずれかに記載の取付具の前記被取付体の板部への取付構造であって、
取付具の板体を前記帯部の両端側から内側に押すことにより、前記板体の表面側と裏面側に撓ませた帯部で、被取付体の前記被挟着片を挟むと共に、取付具の係合爪を被取付体の前記被係合孔に係合させて、取付具を被取付体に取り付けることを特徴とする取付具の取付構造。
【請求項５】
前記被取付体は回路部品が実装される板部品であり、前記取付具は回路部品保持部を有し、被取付体に取付具を取り付けた状態で、前記回路部品保持部により前記回路部品を被取付体に押圧保持するようにした請求項４に記載の取付具の取付構造。
【発明の詳細な説明】
【０００１】
【発明の属する技術分野】
この発明は板状の被取付体に取り付けられる取付具に関する。
【０００２】
【従来の技術】
例えばＣＲＴ等の電気機器において、電気部品が実装された板金ないし金属板等あるいは基板や筺体等の導電板部品間の電気的導通（アース）を図ることによりシールド効果を得ることが従来より行われている。そのような電気的導通を図るための部品として、例えば鋼板からなる板ばね金具が用いられている。この板ばね金具を導電板部品に取り付けて、板ばね金具を導電板部品に電気接続する場合、従来は図１０や図１１のようにして取り付けている。
【０００３】
すなわち、図１０の場合は、板ばね金具２０の一端側の取付部２０ａに設けられたビス挿通孔２１にビス２２を挿通させ、このビス２２を導電板部品２３のねじ孔２４に螺合させることで、板ばね金具２０を導電板部品２３に締付固定するものである。そして、板ばね金具２０の他端側を他の導電板部品に当接ないし圧接させることにより、電気的導通が図られる。
【０００４】
また、図１１の場合は、板ばね金具２０の一端側に断面コ字状の挟着部２５を一体形成し、この挟着部２５を導電板部品２３の一端部に挟み付けることで、板ばね金具２０を導電板部品２３に固定するものである。そして、板ばね金具２０の他端側を他の導電板部品に当接ないし圧接させることにより、電気的導通が図られる。
【０００５】
【発明が解決しようとする課題】
しかし、上述した取付構造では、取付作業の個人差等により、被取付体である導電板部品２３に対して板ばね金具２０が傾いて取り付けられ易い。また、図１０に示す取付構造では、締結具であるビス２２を用いるので、部品および作業工程が増え作業効率が悪いという問題点を有する。また、図１１に示す取付構造では、取付後に、被取付体である導電板部品２３から板ばね金具２０が脱落するおそれがあり、被取付体である導電板部品２３の板厚に制限を受けるなどの問題点を有する。
【０００６】
そこで、この発明の目的は、被取付体に対する取付作業性、取付信頼性および取付安定性を向上させることのできる取付具およびその取付構造を提供することである。
【０００７】
【課題を解決するための手段】
この発明に係る取付具は、被取付体の板部に取り付けられる取付具であって、板体の少なくとも一辺部に、その一辺に平行に相互に分離して設けられ、前記被取付体の板部の一辺に形成された被挟着片を表裏面から弾性力で挟む複数本の帯部と、前記板体の一辺部の前記帯部を除く部分に、板面に対して垂直方向に向けて突出するように設けられ、前記被取付体の板部に形成された被係合孔に係合する係合爪とを備えている。
【０００８】
前記複数本の帯部のうち、一部の帯部は前記板体の表面側に膨れ、他の帯部は前記板体の裏面側に膨れているものとしても良い。
【０００９】
前記係合爪は、前記帯部の長手方向の両端側に分けて一対設けられ、かつこれら両係合爪と、前記被係合孔とは、係合させた状態で、所定の遊びを有するものとしても良い。
【００１０】
この発明に係る取付具の取付構造は、前記取付具の前記被取付体の板部への取付構造であって、取付具の板体を前記帯部の両端側から内側に押すことにより、前記板体の表面側と裏面側に撓ませた帯部で、被取付体の前記被挟着片を挟むと共に、取付具の係合爪を被取付体の前記被係合孔に係合させて、取付具を被取付体に取り付けている。
【００１１】
前記取付具の取付構造において、前記被取付体は回路部品が実装される板部品であり、前記取付具は回路部品保持部を有し、被取付体に取付具を取り付けた状態で、前記回路部品保持部により前記回路部品を被取付体に押圧保持するようにしても良い。
【００１２】
【発明の実施の形態】
以下、この発明をその実施の形態を示す図面に基づいて具体的に説明する。
【００１３】
実施の形態１．
図１は、この発明の実施の形態１による取付具を一体に形成した板ばね金具と、この板ばね金具が取り付けられる被取付体とを分離した状態を示す斜視図である。この場合の被取付体３は、例えばＣＲＴ等電気機器における電気部品が実装された板金ないし金属板等あるいは基板や筺体等の導電板部品である。
【００１４】
板ばね金具１は、他の導電板部品に対する電気的な導通（アース）を図って例えば電磁波シールドの効果を得るためのものであって、弾力性を有する鋼板からなり、その一端部に取付具２が一体に形成されている。この取付具２は、略矩形とした板体４の一辺部に形成された２本の帯部５，５と、前記板体４の板面に対して垂直方向に向けて突出させた一対の係合爪６，６とを備える。
【００１５】
２本の帯部５，５は、前記被取付体３の板部の一辺に形成された被挟着片７をその表裏の両面側から挟み付けるものである。被挟着片７は、被取付体３の板部の一端から内方側に延びる１対のスリット１２，１２で挟まれた状態に形成される。取付具２の前記両帯部５は、前記板体４の一辺に平行とされ、両帯部５の相互間は帯部５に沿うスリット８によって分離されている。また、１本の帯部５は絞り加工により、板体４の表面側に膨れて若干はみ出した状態とされ、他の１本の帯部５は同じく絞り加工により、板体４の裏面側に膨れて若干はみ出た状態とされている。この絞り加工において、両帯部５の間の厚み方向の間隔は、前記被取付体３の被挟着片７の厚み以下に設定され、これにより両帯部５で被挟着片７の挟み付けを確実に行えるようにされている。
【００１６】
前記一対の係合爪６，６は、前記被取付体３の板部に形成された一対の被係合孔９，９に係合するものであり、前記帯部５の長手方向の両端側である板体４の両側辺に折り曲げ形成されている。これら両係合爪６は、図５に示すように前記被係合孔９に係合させた状態で、被係合孔９と係合爪６との間に、帯部５の撓み変形が可能となる調整隙間Ｇが得られるように位置設定されている。
【００１７】
次に、前記取付具２付きの板ばね金具１を前記被取付体３に取り付ける手順を説明する。その取付作業では、先ず、取付具板体４の係合爪６が形成されている両側辺を、図２に矢印Ｐで示す力で内側に押すことにより、２本の帯部５，５を撓み変形させる。両帯部５，５は絞り加工により、一方の帯部５が板体４の表面側に、他方の帯部５が板体４の裏面側にそれぞれ若干はみ出すようにして、撓み方向を規制しているので、両帯部５，５は確実に互いに反対方向に撓み変形可能である。そのため、この場合の取付作業性が良くなる。
【００１８】
このように撓み変形させた両帯部５，５で、前記被取付体３の被挟着片７をその表裏の両面側から挟み付けると共に、取付具２の両係合爪６を被取付体３の対応する各被係合孔９にそれぞれ係合させる。そして力Ｐを解除する。これにより、帯部５，５は弾性力で復元し、図３に正面図で示すように、取付具２付きの板ばね金具１が導電板部品である被取付体３に取り付けられる。図４は、図３におけるIV−IV矢視断面図を示す。
【００１９】
前記取付具２による取付構造では、取付具２の２本の帯部５，５で被取付体３の被挟着片７を挟み付け、取付具２の一対の係合爪６，６を被取付体３の被係合孔９，９に係合させているので、導電板部品である被取付体３に対して板ばね１を十分密着した状態で、しかも取付姿勢に傾きが生じないように取り付けることができ、従来例に比べて取付信頼性および取付安定性が向上する。
【００２０】
また、取付具２の２本の帯部５，５を撓み変形させ、これら両帯部５で被取付体３の被挟着片７を挟み付け、取付具２の一対の係合爪６，６を被取付体３の被係合孔９，９に係合させるだけで良いので、取付作業性も従来例に比べて大幅に向上する。
【００２１】
また、前記帯部５および係合爪６は、取付具板体４に一体に形成されているので、組立工程を要することなく取付具２を簡単に構成することができる。
【００２２】
実施の形態２．
上述した取付具２の両係合爪６は、図５に示すように、前記被係合孔９に係合させ力Ｐを解除した状態で、被係合孔９と係合爪６との間に、帯部５の撓み変形が可能となる調整隙間（遊び）Ｇが得られるように位置設定されてもよい。その場合、取付状態のもとに同図に矢印Ｐで示す力を再び加えて取付具板体４をその両辺側から内側に押して、両帯部５を撓み変形させることができ、これにより取付状態の板ばね１を被取付体３から容易に取り外すことができる。
【００２３】
すなわち、上記調整隙間Ｇの寸法を調整することにより、取付後の取付具２に設けた帯部５，５の撓み自由度の調節が可能となり、取付具２の取外し可能、不可能を自由に選択することができる。調整隙間Ｇを広くすると取付後に再び帯部５，５を撓ませることが容易になり、取外し可能とでき、逆に調整隙間Ｇを狭くすると帯部５，５を撓ませることが難しくなり、取外し不可能とすることができる。
【００２４】
実施の形態３．
図６はこの発明の実施の形態２による取付具と、この取付具が取り付けられる２つの被取付体とを分離した状態を示す斜視図である。この取付具２では、矩形とした板体４の一辺部に、実施の形態１における取付具２の場合と同様の２本の帯部５，５および一対の係合爪６，６の組が一体に形成されると共に、前記板体４の前記一辺部と対向する他の一辺部に、同じ２本の帯部５，５および一対の係合爪６，６の組が一体に形成されている。２つの被取付体３，３の一辺部には、実施の形態１の場合と同様に、１つの被挟着片７と一対の被係合孔９，９がそれぞれ形成されている。
【００２５】
このように構成された取付具２によると、図７に示すように、その取付具板体４の一辺部の２本の帯部５，５および一対の係合爪６，６の組み合わせにより、その一辺部を１つの被取付体３の一辺部に取り付けると共に、取付具板体４の他の一辺部の２本の帯部５，５および一対の係合爪６，６の組み合わせにより、その一辺部を他の１つの被取付体３の一辺部に取り付けることができる。すなわち、取付具２を介して、２つの被取付体３，３を簡単に連結することができる。
【００２６】
実施の形態４．
図８はこの発明の実施の形態３による取付具と、この取付具が取り付けられる被取付体とを分離した状態を示す斜視図である。この場合の被取付体３は、パワートランジスタ等の回路部品１１が配置ないし実装されるヒートシンク等の板部品であって、その一辺部には実施の形態１の場合と同様に被挟着片７と一対の被係合孔９，９が形成されている。この場合の取付具２も、その取付具板体４の一辺部に前記被挟着片７を挟み付ける２本の帯部５，５と、一対の係合爪６，６とを有する。さらに、この取付具２は、取付具板体４の前記一辺部と対向する他の一辺部に、前記回路部品１１を保持する回路部品保持部１０が一体に形成されている。
【００２７】
この取付具２も、撓み変形させた２本の帯部５，５で、被取付体３の被挟着片７を挟み付け、一対の係合爪６，６を被取付体３の被係合孔９，９に係合させることで、被取付体３に容易に取り付けることができると共に、この取付状態で被取付体３に配置される回路部品１１を、取付具２の回路部品保持部１０で被取付体３に押圧保持することができる。これにより、図９に示すように、被取付体３である板部品に、回路部品１１を簡単な作業で取り付けることができる。
【００２８】
なお、前記した各実施の形態での被取付体３は、全体が板状のものであったが、これに限らず、少なくとも取付具２が取り付けられる一端部が板状のものであれば良い。
【００２９】
【発明の効果】
この発明の請求項１に係る取付具は、被取付体の板部に取り付けられる取付具であって、板体の少なくとも一辺部に、その一辺に平行に相互に分離して設けられ、前記被取付体の板部の一辺に形成された被挟着片を表裏面から弾性力で挟む複数本の帯部と、前記板体の一辺部の前記帯部を除く部分に、板面に対して垂直方向に向けて突出するように設けられ、前記被取付体の板部に形成された被係合孔に係合する係合爪とを備えているので、取付作業性、取付信頼性および取付安定性を向上させることができる。
【００３０】
この発明の請求項２に係る取付具は、前記請求項１に係る取付具において、前記複数本の帯部のうち、一部の帯部は前記板体の表面側に膨れ、他の帯部は前記板体の裏面側に膨れたものとしているので、帯部を撓み変形させるとき、一部の帯部と他の帯部とが互いに反対方向に確実に撓み変形することになり、取付作業性が更に向上する。
【００３１】
この発明の請求項３に係る取付具は、前記請求項１または２に係る取付具において、前記係合爪が、前記帯部の長手方向の両端側に分けて一対設けられ、かつこれら両係合爪と、前記被係合孔とは、係合させた状態で、所定の遊びを有しているので、遊びの程度を調整することにより取付状態のもとで帯部を撓み変形させることができ、あるいはできず、これにより取付状態の取付具を被取付体から容易に取り外し可能／不可能を選択することができる。
【００３２】
この発明の請求項４に係る取付具の取付構造は、前記請求項１〜３に係る取付具の前記被取付体の板部への取付構造であって、取付具の板体を前記帯部の両端側から内側に押すことにより、前記板体の表面側と裏面側に撓ませた帯部で、被取付体の前記被挟着体を挟むと共に、取付具の係合爪を被取付体の前記被係合孔に係合させて、取付具を被取付体に取り付けるので、取付作業性、取付信頼性および取付安定性を向上させることができる。
【００３３】
この発明の請求項５に係る取付具の取付構造は、前記請求項４に係る取付具の取付構造において、前記被取付体に回路部品が実装される板部品であり、前記取付具が回路部品保持部を有し、被取付体に取付具を取り付けた状態で、前記回路部品保持部により前記回路部品を被取付体に押圧保持するようにしたので、被取付体への回路部品の取り付けを、簡単な作業で確実に行うことができる。
【図面の簡単な説明】
【図１】  この発明の実施の形態１による取付具が一体に形成された板ばね金具と、この板ばね金具が取り付けられる被取付体を分離して示す斜視図である。
【図２】  図１の板ばねの帯部を撓み変形させた状態を示す斜視図である。
【図３】  図１の板ばねを被取付体に取り付けた状態を示す正面図である。
【図４】  図３におけるIV−IV矢視断面図である。
【図５】  この発明の実施の形態２による取付具の取付状態を示す要部拡大正面図である。
【図６】  この発明の実施の形態３による取付具と、この取付具が取り付けられる被取付体を分離して示す斜視図である。
【図７】  図６の取付具の取付状態を示す正面図である。
【図８】  この発明の実施の形態４による取付具と、この取付具が取り付けられる被取付体を分離して示す斜視図である。
【図９】  図８の取付具の取付状態を示す斜視図である。
【図１０】  従来の板ばね金具を示す斜視図である。
【図１１】  他の従来の板ばね金具を示す斜視図である。
【符号の説明】
２  取付具、３  被取付体、４  板体、５  帯部、６  係合爪、７  被挟着片、９  被係合孔、１０  回路部品保持部、１１  回路部品、Ｇ  調整隙間。
【図１】
0004462783.tif 000002
【図２】
0004462783.tif 000003
【図３】
0004462783.tif 000004
【図４】
0004462783.tif 000005
【図５】
0004462783.tif 000006
【図６】
0004462783.tif 000007
【図７】
0004462783.tif 000008
【図８】
0004462783.tif 000009
【図９】
0004462783.tif 000010
【図１０】
0004462783.tif 000011
【図１１】
0004462783.tif 000012